(57)【要約】【課題】  野菜‐草花‐樹木などの植物栽培等照光を要するものにおける照光制御要素をユーザー側で任意に選択設定しそれに対応して広範な自由度で多素子ＬＥＤを照光できるとともに、要素の設定内容を表示する表示部が簡明である照光装置を提供すること。【解決手段】  多素子ＬＥＤが配列される照光部は、現在時刻（設定時）を基準とする点灯滅灯切替時刻、各種発光量パターン、各発光量パターンに基づく各素子別発光量の栽培要素に基づき照光され、照光部の一部が前記照光制御要素を設定部からの設定指令で表示する表示部として併用される。【選択図】  図３
2005318821.tif 000002
【特許請求の範囲】
【請求項１】
多素子ＬＥＤを用いた照光装置において、
多素子ＬＥＤが配列される照光部は、設定する現在時刻を基準とする点灯滅灯切替時刻表示と、各種発光量パターンと、発光量パターンに基づいた複数色から成る多素子ＬＥＤの発光表示との照光制御要素を具備して成り、該照光部の一部が上記照光制御要素を設定部からの設定指令で表示する表示部として成る照光装置。
【請求項２】
植物栽培時の照光要素に適合した照光制御要素で照光し栽培する請求項１の照光装置。
【発明の詳細な説明】
【技術分野】
【０００１】
本発明は、多素子発光ダイオード（ＬＥＤ）を光源とする照光装置に関する。詳しくは、植物栽培に限らず照光が効果があるものへの照光に当って光の色彩や照度や時間を設定するように、その対象物へ効果がある照光制御要素を、装置に配列された多素子ＬＥＤを選択して設定し表示し照光できるようにしたものである。
【背景技術】
【０００２】
野菜や草花などの植物栽培用の人工光源として、各種ＬＥＤを用いた照光技術が下記特許文献に示されている。その何れも発光量などの制御は一定のパターンで行うため、発光時間帯や発光量パターンによる各ＬＥＤの発光量などの栽培要素を任意に設定できず、さらに栽培要素の設定表示部も独立しているという問題がある。
【特許文献１】特開平０８−１０３１６７号公報
【特許文献２】特開平０９−２５２６５１号公報
【特許文献３】特開平０９−２７５７７９号公報
【特許文献４】特開２０００−２０７９３３号公報
【特許文献５】特開２００１−０８６８６０号公報
【発明の開示】
【発明が解決しようとする課題】
【０００３】
本発明は背景技術で例示した植物栽培用の人工光源による照光制御要素に限定せず、照光制御を必要とする分野に於いて、多素子ＬＥＤを照光制御要素に対応して照明できるようにするとともに、照光制御要素設定内容の表示が簡明にできる照明装置を提供しようとするものである。
【課題を解決するための手段】
【０００４】
本発明は照光制御要素を、設定時現在時刻を基準とする切替式時刻表示と、各種発光量パターンと、発光量パターンに基づいた複数色から成る多素子ＬＥＤの発光表示とを照光制御要素とするもので、
請求項１では、多素子ＬＥＤを配列した照光装置の照光部が前記照光制御要素に適合して照光する機能を具備し、その照光部の一部が照光制御要素を設定部からの設定指令で表
示する表示部として成ることを特徴とし、
請求項２は請求項１を植物栽培用照光装置に求めたものである。
【発明の効果】
【０００５】
本発明によれば、多素子ＬＥＤの各発光量パターンが各種対象物の状況に応じて設定できる上、現在時刻の入力と点灯滅灯切替時刻の設定により任意の照光時間に制御できるとともに、その各設定の表示も多素子ＬＥＤの部分によってそれぞれ表示できる効果がある。
【発明を実施するための最良の形態】
【０００６】
ＩＣ基板上に配列される多素子ＬＥＤは、植物の育成栽培の場合では栽培に有効な赤色ＬＥＤ、緑色ＬＥＤ、青色ＬＥＤが選択される。その内の赤色ＬＥＤはその一部が所要の設定表示に供されるため、０から９までの数字表示のできる配列とし、光合成に主として有効であるからその配列数が最大とされる。その配列数の内、略１７％を青色ＬＥＤとして植物成長を促し、花などの開花促進に効果ありとされる緑色ＬＥＤを略４２％とする。なお、青色ＬＥＤの役割は赤色ＬＥＤの光の１／１０を照光することで植物成長を促進する効果があると言われており、緑色ＬＥＤがより自然光に近づく効果が期待されるので、上記％は特定されるものでない。各ＬＥＤの発光量パターンを１０段階に設定するとともに、各発光量パターンにおける各ＬＥＤの点灯フレームをずらして回路負担を軽減する。また、本発明は工場栽培でベルトコンベアー移送される栽培植物に対して、要所位置で各種発光量パターンで照光するように使用されたり、娯楽空間の天井部の要所に配置されてにぎやかな雰囲気の演出用としても使用できる。設定部における表示部への設定指令は手動や遠隔操作によることができる。表示部を含むケース本体は支持部（ラックなど）に対して着脱自在なものから、姿勢変更自在なものまで提供される。
【実施例】
【０００７】
本発明を植物栽培用照光装置Ａの実施例により説明すると、図１に示すように、ＩＣ基板に各素子発光ダイオード（以下、ＬＥＤとする。）が多数配列された照光部１は、連続線で表示される赤色ＬＥＤ２が４８個、一点鎖線で表示される緑色ＬＥＤ３が２０個、点線で表示される青色ＬＥＤ４が８個配列され、その内、赤色ＬＥＤ２の一部が現在時刻設定、発光量パターン設定、各ＬＥＤ発光量設定、点灯滅灯切替時刻の設定に供される。
ここで、照光の基準となる点灯制御パターン５を図２で説明すると、連続直線で表示される赤色ＬＥＤ２と、一点鎖線で表示される緑色ＬＥＤ３と、点線で表示される青色ＬＥＤ４は、１フレーム１３の時間が256μsecの９フレームから成るパターン０からパターン９までの１０段階の発光量に調整可能となっている。
照光部１はマイコン制御部（図外）と共に図３に示すように、植物栽培用照光装置Ａのケース本体６に収納され、各ＬＥＤ２、３、４の頂点はケース本体６の穴から露出され、ケース本体６の右隅には３個のボタンのうち中央の「０」ボタン７と、その上下の「＋」ボタン８と「−」ボタン９から成る設定部１０が設けられる。設定部１０からの設定指令で各栽培要素が照光部１の赤色ＬＥＤ２の一部で形成される表示部１１に表示され、上下周部及び右側周部には取付け金具（図外）の取付け部１２が設けられる。
照光部１の赤色ＬＥＤ２の一部の表示部１１に表示される設定項目番号は以下の意味を持っている
１：現在時刻（何時、何分）
２：発光パターン（１：デモパターン、２：ユーザー設定）
３：赤色発光量（３設定指令後パターン０からパターン９までの何れかを選択設定する。）
４：緑色発光量（４設定指令後パターン０からパターン９までの何れかを選択設定する。）
５：青色発光量（５設定指令後パターン０からパターン９までの何れかを選択設定する。）
６：点灯滅灯切替時刻１（何時、何分）
７：点灯滅灯切替時刻２（何時、何分）
８：点灯滅灯切替時刻３（何時、何分）
９：点灯滅灯切替時刻４（何時、何分）
上記設定項目番号表示中に「０」ボタン７を長押し（２秒）すると設定状態になり、設定値を確認するだけの時は、「０」ボタン７を押して設定ページを繰り上げると設定項目番号表示状態に戻り、設定値を変更するときは「＋」ボタン８、「−」ボタン９で変更し、「０」ボタン７で決定する。
【０００８】
上記を具体的な設定例で説明すると、現在時刻の設定では、電源ＯＮの状態で「＋」ボタン８を押して照光部１を点灯状態とし、図４に示すように照光部１の表示部１１に設定項目番号「１」を表示する。以後「＋」ボタン８、「−」ボタン９を押すごとに設定項目番号が繰り上げ繰り下げとなり、５秒間放置すると稼働状態に戻る。
設定項目番号「１」を表示したら「０」ボタン７を長押しして現在時刻設定の設定指令を確認し、現在時刻が午後５時３０分であれば、「＋」ボタン８を１回押して１７時の１０の位の「１」を図５（ａ）の如く照光部１の表示部１１に表示し、「０」ボタン７を長押しして「１」を設定し、次に「＋」ボタン８を７回押して１の位の「７」を図５（ｂ）に示すように照光部１の表示部１１に表示し、さらに「０」ボタン７を長押しして「７」を設定し、次いで３０分の設定には「＋」ボタン８を３回押して１０の位の「３」を図５（ｃ）の如く照光部１の表示部１１に表示し、「０」ボタン７を長押しして「３」を設定し、次には１の位が「０」であるから照光部１の表示部１１には前記「３」設定時にクリアした「０」が表示されており、「０」ボタン７を長押しして図５（ｄ）の如く「０」を設定して３０分が設定され、全体として現在時刻１７時３０分が設定される。
【０００９】
次に、発光パターンの設定は、設定項目番号が「２」であるから、「＋」ボタン８を２回押して図６（ａ）に示すように照光部１の表示部１１に「２」を表示し、「０」ボタン７を長押しして設定項目番号「２」を設定し、次いで発光パターンにつきユーザー設定を選択するときは、「＋」ボタン８を２回押して図６（ｂ）に示すように照光部１の表示部１１に「２」を表示し、続いて「０」ボタン７を長押しして発光パターンのユーザー設定を確認する。
【００１０】
次に、各ＬＥＤの発光量の設定は先ず赤色ＬＥＤ２の発光量の設定に取りかかる。設定項目番号が「３」であるから「＋」ボタン８を３回押して図７（ａ）の如く照光部１の表示部１１に「３」を表示し、次いで「０」ボタン７を長押しして設定項目番号「３」を設定し、その発光量については図２に示された点灯制御パターン５（０〜９）から選択される。一例としてパターン６を選択すると、「＋」ボタン８を６回押して図７（ｂ）の如く照光部１の表示部１１に「６」を表示し、次いで「０」ボタン７を長押ししてパターン「６」を設定する。緑色発光量の設定は設定項目番号が「４」であるから、「＋」ボタン８を４回押して図７（ｃ）に示すように照光部１の表示部１１に「４」を表示し、次いで「０」ボタン７を長押しして設定項目番号「４」を設定する。その発光量については図２の点灯制御パターン５からパターン「３」を選択すれば、「＋」ボタン８を３回押して図７（ｄ）に示すように照光部１の表示部１１に「３」を表示し、次いで「０」ボタン７を長押ししてパターン「３」を設定する。青色発光量の設定は設定項目番号が「５」であるから、「＋」ボタン８を５回押して図７（ｅ）に示すように照光部１の表示部１１に「５」を表示し、続いて「０」ボタン７を長押しして設定項目番号「５」を設定し、その発光量については図２の点灯制御パターン５からパターン「４」を選択すれば、「＋」ボタン８を４回押して図７（ｆ）に示すように照光部１の表示部１１に「４」を表示し、次いで「０」ボタン７を長押ししてパターン「４」を設定する。
【００１１】
点灯滅灯切替時刻１の設定は設定項目番号が「６」であるから、「＋」ボタン８を６回押して図８（ａ）に示すように照光部１の表示部１１に「６」を表示し、次いで「０」ボタン７を長押しして設定項目番号「６」を設定する。次に点灯滅灯切替時刻の設定は一例として朝５時３０分に切替えるとすれば、「＋」ボタン８を５回押して図８（ｂ）に示すように照光部１の表示部１１に「５」を表示し、続いて「０」ボタン７を長押しして「５時」を設定し、次に「＋」ボタン８を３回押して図８（ｃ）に示すように照光部１の表示部１１に１０の位の「３」を表示し、次いで「０」ボタン７を長押しして「３」を設定し、次に１の位の「０」を設定する。前記「３」設定時に「３」がクリアされて「０」が照光部１の表示部１１に表示された状態であるから、「０」ボタン７を長押しして「０」が図８（ｄ）示すように照光部１の表示部１１に設定され、結果として点灯滅灯切替時刻１として５時３０分が設定される。以下、点灯滅灯切替時刻２乃至４にいついても前記と同様の要領で設定され、稼動状態が点灯状態であればその設定時刻に滅灯され、滅灯状態であればその設定時刻に点灯される。
【００１２】
以上のように、設定部１０の「０」ボタン７と、その上下に配設される「＋」ボタン８と、「−」ボタン９によって照光部１に配列される赤色ＬＥＤ２の一部を使用した表示部１１に、現在時刻、各ＬＥＤの発光量、点灯滅灯切替時刻などの栽培要素が表示されるから、別途表示装置を設けるまでもなく、照光と表示が併用できる点で低コスト化が図られる。
【００１３】
公知の事項であるが、ある波長の緑色光は開花促進効果があり、開花後は赤色光だけの方が花を長持ちさせるというから、植物の性状に応じて各色ＬＥＤの発光量をパターン０からパターン９までの内容で選択して栽培要素の設定自由度を広範にすることができる。
【産業上の利用可能性】
【００１４】
本発明は蘭や菊などの栽培趣味人向け、ガーデニング関連の小売店向け、種子や苗の販売店向け、家庭菜園用向け、小規模レストラン向け、大人の科学マニア向け、農業や園芸関係の学校教材向けなどの小規模植物栽培用のものから、野菜や草花や樹木などの大規模工場生産に及んで利用されるほか、娯楽施設での演出用照明にも利用可能である。
【図面の簡単な説明】
【００１５】
【図１】照光部１の説明用平面図。
【図２】赤色ＬＥＤ２、緑色ＬＥＤ３、青色ＬＥＤ４の点灯制御パターン図。
【図３】植物栽培用照光装置Ａの斜視図。
【図４】表示部１１に設定項目番号１を表示した説明図。
【図５】表示部１１に現在時刻を設定する場合の説明図。
【図６】表示部１１に発光パターンを設定する場合の説明図。
【図７】表示部１１にそれぞれ赤色ＬＥＤ２、緑色ＬＥＤ３，青色ＬＥＤ４の各発光量を設定する場合の説明図。
【図８】表示部１１に点灯滅灯切替時刻を設定する場合の説明図。
【符号の説明】
【００１６】
１：照光部
２：赤色ＬＥＤ
３：緑色ＬＥＤ
４：青色ＬＥＤ
５：点灯制御パターン
６：ケース本体
７：「０」ボタン
８：「＋」ボタン
９：「−」ボタン
１０：設定部
１１：表示部
１２：取付け部
１３：１プレーム
Ａ：植物栽培用照光装置
【図１】
2005318821.tif 000003
【図２】
2005318821.tif 000004
【図３】
2005318821.tif 000005
【図４】
2005318821.tif 000006
【図５】
2005318821.tif 000007
【図６】
2005318821.tif 000008
【図７】
2005318821.tif 000009
【図８】
2005318821.tif 000010